(57)【要約】      （修正有）【課題】異なる無線技術の有機的な組み合わせと連携により、合理的なコストで高い性能の無線アクセス方式を提供する。【解決手段】送信装置におけるデータ伝送方法であって、伝送される第一サービスのデータパケットをセグメント化又は連結し、複数のセグメントのデータパケットを生成し、複数のセグメントのデータパケットをダイバーシティモード及び／又は集約モードを選択して使用可能な複数の無線アクセス技術に対してカプセル化して番号を付けし、送信装置が番号に基づき対応する無線アクセス技術を使用してカプセル化されたデータパケットを前記ダイバーシティモードあるいは集約モードのいずれかを選択して受信装置に送信する。ダイバーシティモードは、異なる無線アクセス技術で同じ内容を伝送し、集約モードは異なる無線アクセス技術で異なる内容を伝送する。【選択図】図３
2020182230.tif 000002
【特許請求の範囲】
【請求項１】
データ伝送方法であって、
送信装置が、伝送される第一サービスのデータパケットをセグメント化又は連結し、複数のセグメントのデータパケットを生成することと、
前記送信装置が複数の無線アクセス技術に対して、前記複数のセグメントのデータパケットをカプセル化して番号を付けることであって、前記複数の無線アクセス技術はダイバーシティモード及び／又は集約モードを採用し、前記ダイバーシティモードは異なる無線アクセス技術で同じ内容を伝送することを示し、前記集約モードは異なる無線アクセス技術で異なる内容を伝送することを示すことと、
前記送信装置が前記番号に基づき、対応する無線アクセス技術を使用し、前記カプセル化されたデータパケットを受信装置に送信することと、を含むことを特徴とするデータ伝送方法。
【請求項２】
前記複数の無線アクセス技術はダイバーシティモードを採用することを特徴とする請求項１に記載の方法。
【請求項３】
前記複数の無線アクセス技術は第一の無線アクセス技術と第二の無線アクセス技術を含み、前記複数のセグメントのデータパケットは第一のセグメントのデータパケットを含み、前記第一のセグメントのデータパケットは前記第一の無線アクセス技術と前記第二の無線アクセス技術によりダイバーシティモードを採用して伝送されることを特徴とする請求項２に記載の方法。
【請求項４】
前記複数の無線アクセス技術は集約モードを採用することを特徴とする請求項１に記載の方法。
【請求項５】
前記複数の無線アクセス技術は第一の無線アクセス技術と第二の無線アクセス技術を含み、前記複数のセグメントのデータパケットは第一のセグメントのデータパケットと第二のセグメントのデータパケットを含み、前記第一のセグメントのデータパケットと前記第二のセグメントのデータパケットはそれぞれ前記第一の無線アクセス技術と前記第二の無線アクセス技術により集約モードを採用して伝送されることを特徴とする請求項４に記載の方法。
【請求項６】
前記複数の無線アクセス技術はダイバーシティモード及び集約モードを採用することを特徴とする請求項１に記載の方法。
【請求項７】
前記複数のセグメントのデータパケットは第一のセグメントのデータパケット、第二のセグメントのデータパケット及び第三のセグメントのデータパケットを含み、前記第一のセグメントのデータパケットはダイバーシティモードを採用して伝送され、前記第二のセグメントのデータパケットと前記第三のセグメントのデータパケットは集約モードを採用してそれぞれ伝送されることを特徴とする請求項６に記載の方法。
【請求項８】
送信装置であって、
伝送される第一サービスのデータパケットをセグメント化又は連結し、複数のセグメントのデータパケットを生成するように構成される生成ユニットと、
複数の無線アクセス技術に対して、前記複数のセグメントのデータパケットをカプセル化して番号を付けるように構成される処理ユニットであって、前記複数の無線アクセス技術はダイバーシティモード及び／又は集約モードを採用し、前記ダイバーシティモードは異なる無線アクセス技術で同じ内容を伝送することを示し、前記集約モードは異なる無線アクセス技術で異なる内容を伝送することを示す処理ユニットと、
前記番号に基づき、対応する無線アクセス技術を使用し、前記カプセル化されたデータパケットを受信装置に送信するように構成される送信ユニットと、を含むことを特徴とする送信装置。
【請求項９】
前記複数の無線アクセス技術はダイバーシティモードを採用することを特徴とする請求項８に記載の送信装置。
【請求項１０】
前記複数の無線アクセス技術は第一の無線アクセス技術と第二の無線アクセス技術を含み、前記複数のセグメントのデータパケットは第一のセグメントのデータパケットを含み、前記第一のセグメントのデータパケットは前記第一の無線アクセス技術と前記第二の無線アクセス技術によりダイバーシティモードを採用して伝送されることを特徴とする請求項９記載の送信装置。
【請求項１１】
前記複数の無線アクセス技術は集約モードを採用することを特徴とする請求項８に記載の送信装置。
【請求項１２】
前記複数の無線アクセス技術は第一の無線アクセス技術と第二の無線アクセス技術を含み、前記複数のセグメントのデータパケットは第一のセグメントのデータパケットと第二のセグメントのデータパケットを含み、前記第一のセグメントのデータパケットと前記第二のセグメントのデータパケットはそれぞれ前記第一の無線アクセス技術と前記第二の無線アクセス技術により集約モードを採用して伝送されることを特徴とする請求項１１に記載の送信装置。
【請求項１３】
前記複数の無線アクセス技術はダイバーシティモード及び集約モードを採用することを特徴とする請求項８に記載の送信装置。
【請求項１４】
前記複数のセグメントのデータパケットは第一のセグメントのデータパケット、第二のセグメントのデータパケット及び第三のセグメントのデータパケットを含み、前記第一のセグメントのデータパケットはダイバーシティモードを採用して伝送され、前記第二のセグメントのデータパケットと前記第三のセグメントのデータパケットは集約モードを採用してそれぞれ伝送されることを特徴とする請求項１３に記載の送信装置。
【発明の詳細な説明】
【関連出願の参照】
【０００１】
本発明は２０１５年７月１４日に提出された発明の名称が「データ伝送方法、送信装置及び受信装置」である出願番号２０１５１０４１３５２８．６の先行出願優先権を主張し、上記先行出願の内容は参照により本明細書に組み込まれる。
【技術分野】
【０００２】
本発明の実施例は通信分野に関し、具体的には、データ伝送方法、送信装置及び受信装置に関する。
【背景技術】
【０００３】
次世代移動通信システム（一般に５Ｇと呼ばれる）はさらにサービスの品質を向上させ、データレートの向上などの従来要求以外、サービス連続性を保証及び様々な環境における異なるサービスを満たす品質要求がユーザを中心とするネットワーク（ｕｓｅｒ−ｃｅｎｔｒｉｃ  ｎｅｔｗｏｒｋ）へ進化する重要な要求となる。次世代移動通信システムが提供できるサービス要求は様々であるため、単一の無線技術は合理的なコストを前提として全ての要求を満たすことが困難であり、異なる無線技術の有機的な組み合わせがより実行可能な選択になる。
【０００４】
従来技術条件で、異なる無線アクセス技術間の連携が欠如し、複数の無線アクセス技術により伝送する場合、性能において大きな欠点がある。
【発明の概要】
【発明が解決しようとする課題】
【０００５】
本発明の実施例はデータ伝送方法を提供し、該方法は使用された複数の無線アクセス技術間の相互連携を高めることができ、さらに複数の無線アクセス技術の性能を向上させることができる。
【課題を解決するための手段】
【０００６】
第一の態様によるデータ伝送方法は、
送信装置が使用される複数の無線アクセス技術を確定した後、伝送される第一サービスのデータパケットをセグメント化又は連結し、マルチセグメントデータパケットを生成することと、
前記送信装置が前記複数の無線アクセス技術に対して、前記マルチセグメントデータパケットをカプセル化して番号を付けることと、
前記送信装置が前記番号に基づき、対応する無線アクセス技術を使用し、前記カプセル化されたデータパケットを受信装置に送信することとを含む。
【０００７】
第二の態様によるデータ伝送方法は、
受信装置が送信装置から送信されたデータパケットを受信し、前記データパケットが前記送信装置が複数の無線アクセス技術を使用して送信したものであることと、
前記受信装置が前記受信された前記データパケットを回復することと、
前記受信装置が前記回復されたデータパケットの正確度をチェックすることとを含む。
【０００８】
第三の態様による送信装置は、
使用される複数の無線アクセス技術を確定した後、伝送される第一サービスのデータパケットをセグメント化又は連結し、マルチセグメントデータパケットを生成するように構成される生成ユニットと、
前記複数の無線アクセス技術に対して、前記生成ユニットによって生成された前記マルチセグメントデータパケットをカプセル化して番号を付けるように構成される処理ユニットと、
前記番号に基づき、対応する無線アクセス技術を使用し、前記カプセル化されたデータパケットを受信装置に送信するように構成される送信ユニットとを含む。
【０００９】
第四の態様による受信装置は、
送信装置から送信されたデータパケットを受信するように構成され、前記データパケットが前記送信装置が複数の無線アクセス技術を使用して送信したものである受信ユニットと、
前記受信ユニットによって受信された前記データパケットを回復し、
さらに前記回復されたデータパケットの正確度をチェックするように構成される処理ユニットとを含む。
【００１０】
本発明の実施例において、送信装置は異なる無線アクセス技術に対して、伝送されるサービスをカプセル化して送信することにより、使用された複数の無線アクセス技術間の相互連携を高めることができ、さらに複数の無線アクセス技術の性能を向上させることができる。
【図面の簡単な説明】
【００１１】
【図１】本発明の一つの実施例におけるデータ伝送方法のフローチャートである。
【図２】本発明の別の実施例におけるデータ伝送方法のフローチャートである。
【図３】本発明の別の実施例におけるデータ伝送方法のフローチャートである。
【図４】本発明の別の実施例におけるデータ伝送方法のフローチャートである。
【図５】本発明の一つの実施例における送信装置の構成ブロック図である。
【図６】本発明の別の実施例における送信装置の構成ブロック図である。
【図７】本発明の一つの実施例における受信装置の構成ブロック図である。
【図８】本発明の別の実施例における受信装置の構成ブロック図である。
【発明を実施するための形態】
【００１２】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００１３】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００１４】
注意すべきものとして、本発明の実施例における無線アクセス技術は無線技術と呼ばれてもよく、一般的に４Ｇと呼ばれる長期進化型（ＬＴＥＦ：Ｌｏｎｇ  Ｔｅｒｍ  Ｅｖｏｌｕｔｉｏｎ）、無線ローカルエリアネットワーク（ＷＬＡＮ：Ｗｉｒｅｌｅｓｓ  ＬＡＮ）、将来５Ｇなどを含むが、これらに限定されない。
【００１５】
注意すべきものとして、本発明の実施例における端末は移動端末であってもよく、セルラー電話、パーソナルデジタルアシスタント（ＰＤＡ：Ｐｅｒｓｏｎａｌ  Ｄｉｇｉｔａｌ  Ａｓｓｉｓｔａｎｔ）、将来の５Ｇネットワークにおける端末装置などを含むが、これらに限定されない。
【００１６】
注意すべきものとして、本発明の実施例におけるネットワーク装置は複数の無線アクセス技術を集中的に管理及び制御するための複数の基地局の基地局コントローラ又は基地局サーバであってもよく、基地局と通信できる移動管理エンティティ（ＭＭＥ：Ｍｏｂｉｌｉｔｙ  Ｍａｎａｇｅｍｅｎｔ  Ｅｎｔｉｔｙ）などであってもよく、本発明はこれに限定されない。
【００１７】
注意すべきものとして、本発明の実施例における端末とネットワーク装置は全て複数の無線アクセス技術をサポートする。且つ、複数の無線アクセス技術は同じソフトウェア及びハードウェアリソースを独立して使用又は共有して使用することができ、ここでのソフトウェア及びハードウェアリソースはアンテナ、無線周波数（ＲＦ）モジュール、ベースバンドモジュール、プロセッサ、記憶システム、ユーザインタフェースなどを含むことができる。同じソフトウェア及びハードウェアリソースを共有して使用する場合、複数の無線アクセス技術は同じソフトウェア及びハードウェアリソースを独立して使用又は同時に使用することができる。
【００１８】
注意すべきものとして、本発明の実施例におけるデータ伝送は端末とネットワーク装置の間に行われてもよく、また端末と端末の間に行われてもよい。例えば、送信装置は端末であってもよく、受信装置はネットワーク装置又は端末であってもよい。その中、端末と端末の間のデータ伝送は直接接続の通信モードを採用してもよく、中間装置（例えばネットワーク装置）を介して転送してもよい。例えば、送信装置はネットワーク装置であってもよく、受信装置は端末であってよい。本発明はこれに限定されない。
【００１９】
具体的なデータ伝送の前に、まず図１の方法を実行することができ、図１は本発明の一つの実施例におけるデータ伝送方法のフローチャートである。図１に示す方法は以下のステップを含む。
【００２０】
Ｓ１０１において、アプリケーション１１が起動する場合、アプリケーション１１は端末とネットワーク装置１２へ該アプリケーションがサポートするサービスタイプ（ＴｏＳ：Ｔｙｐｅ  ｏｆ  Ｓｅｒｖｉｃｅ）リストを送信する。
【００２１】
同じアプリケーション（ａｐｐｌｉｃａｔｉｏｎ）は複数のサービス（ｓｅｒｖｉｃｅ）をサポートすることができる。例えば、インスタントメッセンジャーアプリケーション（ｉｎｓｔａｎｔ  ｍｅｓｓａｇｅｒ）はテキストメッセージ、音声メッセージ、ビデオインターホン、ビデオ放送、ファイル伝送、ウェイブ閲覧、ゲームなどの複数のサービスをサポートすることができる。
【００２２】
無線システムにおける異なるサービスのデータ伝送に対する要求が異なり、例えばファイル伝送サービスは高いスループット（伝送レート）と低いデータパケット損失率（ｐａｃｋｅｔ  ｌｏｓｓ、エラーを含む）を要求するが、双方向音声サービスは低いデータパケット伝送遅延（ｐａｃｋｔｅ  ｄｅｌａｙ）と遅延ジッタ（ｄｅｌａｙ  ｊｉｔｔｅｒ）を要求する。
【００２３】
本発明の実施例においてサービスのデータ伝送に対する要求がサービスタイプ（ＴｏＳ：Ｔｙｐｅ  ｏｆ  Ｓｅｒｖｉｃｅ）として定義される。注意すべきものとして、ここでのＴｏＳは従来のサービス品質（ＱｏＳ：Ｑｕａｌｉｔｙ  ｏｆ  Ｓｅｒｖｉｃｅ）と異なる。
【００２４】
本発明の実施例において、ＴｏＳは、（１）データ伝送の優先度、（２）ピークレートと平均レート、（３）アプリケーション層のデータパケットサイズ、（４）データパケット伝送遅延と遅延ジッタ、（５）データパケット損失率及び（６）データ伝送の時間的分布という次元の情報を含む。
【００２５】
ここで、アプリケーション層のデータパケットサイズはアプリケーション層のデータパケットの平均サイズとアプリケーション層のデータパケットのサイズの標準偏差を含むことができる。
【００２６】
ここで、データ伝送の時間的分布は周期的分布又は非周期的分布であってもよい。
【００２７】
また、非周期的分布に対して、データ伝送の時間的分布は前記分布のタイプと前記分布の基本パラメータを含むことができる。例えば、分布のタイプはポアソン（Ｐｏｉｓｓｏｎ）分布であり、分布の基本パラメータはポアソン分布の単位時間（又は単位面積）内のランダムイベントの平均発生率λである。
【００２８】
また、非周期的分布に対して、データ伝送の時間的分布は伝送の平均時間間隔と伝送の時間間隔の標準偏差を含むことができる。
【００２９】
また、周期的分布に対して、データ伝送の時間的分布は伝送周期とデューティ比を含むことができる。
【００３０】
一つのサービスのＴｏＳが上記の一部又は全部の次元の情報を含むことができることは理解可能である。
【００３１】
本発明の実施例において、サービスタイプクラス識別子（ＴＣＩ：ＴｏＳ  Ｃｌａｓｓ  Ｉｄｅｎｔｉｆｉｅｒ）で一つのサービスのＴｏＳを表すことができる。ＴＣＩは以上の一つ又は複数の次元情報の組み合わせを含むことができる。一つのサービスがある次元に対して要求しない又はある次元に適用しない場合、ＴＣＩは該次元の情報を含めなくてもよく、又はＴＣＩにおいて該次元のインジケータは空又はデフォルト値であってもよい。
【００３２】
例えば、ＴＣＩは上記の複数の次元情報の列挙（ｅｎｕｍｅｒａｔｉｏｎ）であってもよい。例えば、[優先度＝高、ピークレート＝ａ、平均レートｂ、データパケットサイズ＝１０００バイト...]である。
【００３３】
又は、各次元情報に複数のレベルを設定することができる。ＴＣＩの各ドメインは対応するレベルで表されることができる。
【００３４】
例えば、データ伝送の優先度をＨ、Ｍ、Ｌの３つのレベルに分けることができる。Ｈは優先度が高く、次はＭであり、Ｌは優先度が低い。例えば、サービスの内容に応じてデータ伝送の優先度を確定することができ、緊急通話の優先度をＨに確定し、背景（ｂａｃｋｇｒｏｕｎｄ）ファイルとビデオダウンロッドの優先度をＬに確定することができる。
【００３５】
ピークレートと平均レート（ｒａｔｅ）をＲ１、Ｒ２、Ｒ３の３つのレベルに分けることができ、ピークレートが第一の閾値より大きく且つ平均レートが第二の閾値より大きい場合はＲ１レベルとし、ピークレートが第三の閾値より小さい又は平均レートが第四の閾値より小さい場合はＲ３レベルとし（その中、第一の閾値が第二の閾値より大きく、第一の閾値が第三の閾値より大きく且つ第四の閾値より大きく、第二の閾値が第四の閾値より大きい）とし、残りはＲ２レベルとする。注意すべきものとして、ここでピークレートと平均レートをそれぞれ複数のレベルに分けることができ、例えばピークレートを５つのレベルに分け、平均レートを４つのレベルに分けることができるなどの場合がある。本発明はこれに限定されない。
【００３６】
アプリケーション層のデータパケットサイズ（ｓｉｚｅ）をＳ１、Ｓ２、Ｓ３の３つのレベルに分けることができ、データパケットの平均サイズが第一の値より大きい場合はＳ１レベルとし、データパケットの平均サイズが第二の値より小さい場合はＳ３レベルとし、データパケットの平均サイズが他の値である場合はＳ２レベルとする。その中、第一の値が第二の値より大きい。注意すべきものとして、ここでの第一の値の大ききと第二の値の大きさはサービスの状況に応じて確定されてもよく、例えば第一の値は１０ＭＢに等しくてもよく、第二の値が１００ＫＢに等しくてもよい。
【００３７】
伝送遅延と遅延ジッタをＨ、Ｍ、Ｌの３つのレベルに分けることができ、伝送遅延が第一の時間より小さい場合はＨレベルとし、伝送遅延が第一の時間と第二の時間の間にある場合はＭレベルとし、伝送遅延が第二の時間より大きい場合はＬレベルとする（その中、第一の時間が第二の時間より小さい）。
【００３８】
データパケット損失率をＨとＬの２つのレベルに分けることができ、データパケット損失率が第五の閾値より小さい場合はＨレベルとし、データパケット損失率が第五の閾値以上である場合はＬレベルとする。
【００３９】
データ伝送の時間的分布をＰ又はＮＰの２つのレベルに分けることができ、周期的分布はＰレベルとし、非周期的分布はＮＰレベルとする。
【００４０】
また、０をデフォルト値としてある次元が要求されない又はある次元が適用しないことを表すことができる。
【００４１】
例えば、あるサービスのＴｏＳはＴＣＩである[Ｈ、０、Ｓ２、Ｍ、Ｈ、Ｐ]として表されてもよい。ここで、ＴＣＩのどのドメインがどの次元の情報を表すかは予め設定され、又は端末とネットワークによって予め交渉されることが理解可能である。
【００４２】
注意すべきものとして、本発明の実施例において、ＴｏＳの次元の数より多くてもよい又はより少なくてもよく（例えばさらに細分化することができる）、これに対応して、ＴＣＩで表される次元の情報はより多くてもよい又はより少なくてもよく、ＴＣＩで表される次元の情報の順番は以上に示された順番に限定されなくてもよく、各次元のレベルはより多くてもよい又はより少なくてもよく、レベルの形が他の識別子（例えば１、２、３）で表されてもよく、デフォルト値が他の識別子（例えばＮＵＬＬ）で表されてもよく、本発明はこれに限定されない。
【００４３】
理解できるように、ＴＣＩが各次元の情報を表す場合、各次元の情報がレベルで表されてもよく、又は各次元の情報が具体的な値で表されてもよく、又はいくつかの次元情報がレベルで表されてもよく、いくつかの次元情報が具体的な値で表されてもよく、例えばＴＣＩが[優先度＝Ｈ、ピークレート＝１０Ｍｂｉｔ／ｓ、平均レート＝１Ｍｂｉｔ／ｓ、データパケットサイズ＝１０．２ＭＢ、分布＝Ｐ]として表されてもよい。本発明はこれに限定されない。
【００４４】
同じアプリケーションが複数のサービスをサポートすることができ、理解できるように、Ｓ１０１におけるアプリケーションがサポートするＴｏＳリストはアプリケーションがサポートする複数のサービスのＴｏＳからなるリストである。即ち、ＴｏＳリストは複数のサービスのＴｏＳを含む。また、各サービスのＴｏＳはＴＣＩで表されてもよく、そのためＴｏＳリストはＴＣＩリストの形であってもよい。
【００４５】
また、別の実施例として、アプリケーション１１と端末及びネットワーク装置１２はＴＣＩ識別子とＴＣＩリストの対応関係を予め定義することができる。例えば、該対応関係はテーブルの形態として理解されてもよく、１列がＴＣＩ識別子であり、別の列がＴＣＩリストである。これにより、Ｓ１０１において、アプリケーション１１は該対応関係に応じて端末とネットワーク装置１２へＴＣＩリストに対応するＴＣＩ識別子を送信することができる。端末とネットワーク装置１２に対して、アプリケーション１１から送信されたＴＣＩ識別子を受信した後、該対応関係に応じてアプリケーション１１のＴＣＩリストを知ることもできる。これにより、ＴＣＩリストを報告する場合のシグナリングオーバーヘッドを削減させることができる。
【００４６】
また、一つの実施例として、該ＴｏＳリストは複数のＴｏＳを含み、各ＴｏＳがＴＣＩで表される。しかし、該ＴｏＳリストにおいて一部だけのＴＣＩがアクティブ化（ａｃｔｉｖａｔｅ）され、他のＴＣＩが非アクティブ化される。即ち、アプリケーション１１がサポートする複数のサービスにおいて、一部のサービスのＴＣＩがアクティブ化され、一部のサービスのＴＣＩが非アクティブ化される。
【００４７】
例えば、アプリケーションがサポートする複数のサービスの使用状況に応じて対応するＴＣＩをアクティブ化（ａｃｔｉｖａｔｅ）又は非アクティブ化（ｄｅａｃｔｉｖａｔｅ）することができる。例えば第一サービスのＴＣＩをアクティブ化に設定し、第二のサービスのＴＣＩを非アクティブ化に設定することができる。且つ該アプリケーションが終了する場合、全てのサービスのＴＣＩを非アクティブ化することができる。
【００４８】
また、Ｓ１０１と同時に、アプリケーションは前記ＴｏＳリストにおける複数のＴｏＳの優先度順番を送信することができる。理解できるように、ＴｏＳの優先度は該ＴｏＳによって表されるサービスの優先度である。
【００４９】
注意すべきものとして、本発明の実施例において、端末とネットワーク装置１２は異なるアプリケーションに使用されたＴＣＩリストをメンテナンスし、情報の一貫性を保証することができる。例えば、端末とネットワーク装置１２はアプリケーションの識別子と上記のＴＣＩ識別子との対応関係を記憶することができる。本発明はこれに限定されない。
【００５０】
Ｓ１０２において、端末とネットワーク装置１２はアプリケーション１１に複数の無線アクセス技術を割り当てる。
【００５１】
具体的には、端末とネットワーク装置１２はユーザサービス加入状況とユーザの存在する位置の無線アクセス技術の分布状況などに応じて、アプリケーション１１に複数の無線アクセス技術を割り当てることができる。
【００５２】
具体的には、上記のＴｏＳリストに基づいて、アプリケーション１１に複数の無線アクセス技術を割り当てることができる。
【００５３】
注意すべきものとして、本発明の実施例において、Ｓ１０２で割り当てられた複数の無線アクセス技術がサポートされたＴｏＳはＳ１０１においてアプリケーション１１によって報告されたＴｏＳと合致してもよい又は合致しなくてもよい。
【００５４】
例えば、アプリケーション１１が複数のサービスをサポートし、該複数のサービスが第一サービスを含む。アプリケーション１１がサポートする第一サービスを例とすると、前記第一サービスのＴｏＳは前記複数の無線アクセス技術がサポートする少なくとも一つのＴｏＳのうちの一つのＴｏＳと合致することができる。例えば、第一の無線アクセス技術は様々なＴｏＳをサポートし、該様々なＴｏＳのうちの一つは第一サービスのＴｏＳと合致することができる。
【００５５】
具体的には、無線アクセス技術がサポートするＴＣＩは第一サービスのＴＣＩと合致しても良い。
【００５６】
また、端末とネットワーク装置１２の現在の存在するネットワーク条件が前記第一サービスのＴｏＳを満たすことができない場合、該第一サービスのＴｏＳに最も近接する複数の無線アクセス技術を見つけて使用することができ、即ち、Ｓ１０２で割り当てられた前記複数の無線アクセス技術がサポートするＴｏＳは前記第一サービスのＴｏＳに最も近接する。例えば、端末とネットワーク装置１２はダウングレードサービスを行い、第一サービスのＴｏＳに最も近接する複数の無線アクセス技術を見つけて使用することができる。その後、端末とネットワーク装置１２はアプリケーション１１へ提示メッセージを送信し、前記ダウングレードサービスを示すことができる。さらに、アプリケーション１１はユーザへ該ダウングレードサービスの指示情報を表示し、例えば端末の表示画面にアラーム情報を表示することができる。
【００５７】
具体的には、第一サービスのＴＣＩに最も近接する無線アクセス技術を見つけて使用することができる。
【００５８】
また、端末とネットワーク装置１２の現在の存在するネットワーク条件が前記第一サービスのＴｏＳを満たすことができない場合、該第一サービスの申請を拒否し且つユーザに通知することができる。即ち、この場合にサービスを拒否し且つユーザに通知することができる。これにより、サービス拒否通知を受信した後、ユーザは位置を変更する（例えば地下室から地面までの位置変更など）ことにより、前記Ｓ１０２のプロセスを再実行することができる。
【００５９】
また、前記第一サービスのＴｏＳが前記第一サービスの実際リソースの使用と一致しない場合、前記第一サービスの実際リソースの使用に応じて、前記第一サービスに前記複数の無線アクセス技術を割り当てることができる。例えば、端末とネットワーク装置１２はアプリケーション１１によって報告されたＴｏＳと実際に使用されたリソースの状況を監視して比較することができ、端末とネットワーク装置１２は報告されたＴｏＳが実際リソースの使用状況より高いことを監視した場合、該アプリケーション１１が悪意のあるアプリケーションであることを確定することができる。即ちアプリケーション１１が実際の要求より高いＴｏＳリストを不正に報告し、該アプリケーション１１自体のユーザ体験を保証し、競争相手を打撃することなどに起因するかもしれない。この時、端末とネットワーク装置１２はアプリケーション１１自体から報告されたＴｏＳを無視し、監視された実際リソースの使用状況に応じて対応する複数の無線アクセス技術を割り当てることができる。
【００６０】
理解できるように、この時、アプリケーション１１における第一サービスのＴｏＳは端末とネットワーク装置１２によって確定される。具体的には、該第一サービスが満たすことができるＴｏＳは、端末とネットワーク装置１２自体が決定した複数の無線アクセス技術によってサポートされたＴｏＳによって決定される。
【００６１】
具体的には、端末とネットワーク装置１２自体は第一サービスの実際ＴＣＩを決定することができる。
【００６２】
これにより、該アプリケーションがリソースを悪意に占有することを防止し、さらに他のアプリケーションの合理的な利用を保証することができる。
【００６３】
理解できるように、この時、端末とネットワーク装置１２は複数の無線アクセス技術の確定に対して決定権を持つ。
【００６４】
また、端末とネットワーク装置１２が実際リソースの使用状況に応じて複数の無線アクセス技術を割り当てた後、アプリケーション１１のアプリケーションマネージャへ通知メッセージを送信することができる。該通知メッセージは前記アプリケーションに対して後続処理を実行するように前記アプリケーション管理システムに指示することに用いられる。例えば、該後続処理は該アプリケーションをブラックリストに追加することであってもよい。これにより、該アプリケーションへの後の悪意のアクセスを阻止し、さらに他のアプリケーションの通常のサービスを保証することができる。又は、アプリケーション管理システムは通知メッセージに基づいて該アプリケーションの優先度を調整又は該アプリケーションのアクセス権限などを下げることができ、ここで限定されない。
【００６５】
また、端末とネットワーク装置１２が実際リソースの使用状況に応じて複数の無線アクセス技術を割り当てた後、後でアプリケーション１１から送信された該アプリケーションによってサポートされた新しいＴｏＳリストを再受信した場合、前記新しいＴｏＳリストを無視し、前記アプリケーションに複数の無線アクセス技術を割り当てることを能動的に決定することができる。その中、アプリケーション管理システムは端末とネットワーク装置１２へ指示メッセージを送信することができ、さらに端末とネットワーク装置１２は該指示メッセージに基づいて該アプリケーション１１が後に報告するＴｏＳリストをデフォルトで無視することができる。
【００６６】
理解できるように、この時、アプリケーション１１における第一サービスのＴｏＳは端末とネットワーク装置１２によって確定される。具体的には、該第一サービスが満たすことができるＴｏＳは、端末とネットワーク１２自体が決定した複数の無線アクセス技術がサポートするＴｏＳによって決定される。
【００６７】
例えば、アプリケーション１１が複数のサービスをサポートし、該複数のサービスが第一サービスを含む。Ｓ１０２において、端末とネットワーク装置１２は該第一サービスに複数の無線アクセス技術を割り当て、且つ該第一サービスを複数の無線アクセス技術の無線リソースにマッピングする。即ち、ＴｏＳリストにおける該第一サービスのＴｏＳに基づき、第一サービスを複数の無線アクセス技術の無線リソースにマッピングすることができる。
【００６８】
理解できるように、アプリケーション１１が複数のサービスをサポートし、ＴｏＳリストに一部のアクティブ化されたＴＣＩと一部の非アクティブ化されたＴＣＩが含まれる場合、アクティブ化されたＴＣＩに対応するサービスに無線リソースを割り当てることができる。これに対応して、端末とネットワーク装置１２はアプリケーション１１の異なるサービスをそれぞれ対応する無線アクセス技術の適切な無線リソースにマッピングすることができる。
【００６９】
本発明の実施例において、ＴｏＳリストは複数のＴｏＳを含み、端末とネットワーク装置１２は異なるＴｏＳに異なる無線アクセス技術で対応する無線リソースを割り当てることができる。その中、一つのサービスは一つ又は複数の無線アクセス技術で伝送されてもよい。各無線アクセス技術は一つ又は複数のＴｏＳをサポートすることができ、異なるタイプの端末と異なる構成のネットワーク装置が同じ無線アクセス技術を使用する時にサポートするＴｏＳは異なってもよい。
【００７０】
また、端末とネットワーク装置１２は、それぞれそれに配置された全ての無線技術がサポートするＴｏＳを保存することができる。
【００７１】
且つ、端末とネットワーク装置１２は、割り当てられた無線リソースの使用状況を監視し、サービス実行中に無線アクセス技術のネットワーク状態などに基づいて無線リソースに対して調整と再割り当てなどを行うことができる。
【００７２】
注意すべきものとして、複数のアプリケーションが同時に存在する場合、それぞれ各アプリケーションに適切な複数の無線アクセス技術を割り当て、異なるアプリケーションに使用される複数の無線アクセス技術は完全に又は一部で同じであってもよく、又は完全に異なってもよい。
【００７３】
図１に示す方法により、アプリケーションがサポートする第一サービスは割り当てられた複数の無線アクセス技術の無線リソースでデータ伝送を行うことができる。図２に示すように、図２は本発明の別の実施例におけるデータ伝送方法のフローチャートである。図２に示す方法は図１に示す方法の後に実行され、以下のステップを含む。
【００７４】
Ｓ２０１において、送信装置２１は伝送される第一サービスのデータパケットをセグメント化（ｓｅｇｍｅｎｔａｔｉｏｎ）又は連結し、マルチセグメントデータパケットを生成する。
【００７５】
ここで、第一サービスは上記アプリケーションがサポートする複数のサービスのうちの一つである。理解できるように、複数のサービスの各々に対してＳ２０１のプロセスを実行する。且つ、伝送される第一サービスのデータパケットは伝送される第一サービスのアプリケーション層のデータパケットである。
【００７６】
Ｓ２０１におけるセグメント化又は連結は伝送される第一サービスのデータパケットのサイズと無線アクセス技術のパケットサイズとの関係に応じて実行される。
【００７７】
また、前記Ｓ１０２では第一サービスのデータ伝送が複数の無線アクセス技術を使用することを確定した場合、Ｓ２０１の前に、送信装置２１が複数の無線アクセス技術間にデータ静的ペイロード割当を行うことをさらに含むことができる。
【００７８】
具体的には、送信装置２１は複数の無線アクセス技術の各々に対して伝送される第一サービスの割合を確定することができる。
【００７９】
例えば、複数の無線アクセス技術が無線アクセス技術ａ、無線アクセス技術ｂと無線アクセス技術ｃを含むと仮定する。送信装置２１は各無線アクセス技術の能力（データ伝送レート、現在のペイロードなど）に応じて、第一サービスに対して一定の割合でデータ伝送のために選択された無線アクセス技術を割り当てることができる。例えば、無線アクセス技術ａは第一サービスの５０％を伝送し、無線アクセス技術ｂは第一サービスの３０％を伝送し、無線アクセス技術ｃは第一サービスの２０％を伝送する。
【００８０】
これにより、送信装置２１は伝送される第一サービスのデータパケットを三つの部分に分けることができ、第一の部分は５０％を含み、無線アクセス技術ａに対してセグメント化及び／又は連結し、一つ又は複数のセグメントを形成できる。第二の部分は３０％を含み、無線アクセス技術ｂに対してセグメント化及び／又は連結し、一つ又は複数のセグメントを形成できる。第三の部分は２０％を含み、無線アクセス技術ｃに対してセグメント化及び／又は連結し、一つ又は複数のセグメントを形成できる。
【００８１】
具体的には、Ｓ２０１では、前記複数の無線アクセス技術が第一の無線アクセス技術と第二の無線アクセス技術を含み、前記伝送される第一のサービスのデータパケットが第一のデータパケット、第二のデータパケットと第三のデータパケットを含むと仮定する。
【００８２】
これにより、前記第一のデータパケットのサイズが前記第一の無線アクセス技術のパケットより大きい場合、前記第一のデータパケットをセグメント化する。前記第二のデータパケットと前記第三のデータパケットのサイズが第二の無線アクセス技術のパケットより小さい場合、前記第二のデータパケットと前記第三のデータパケットを連結する。
【００８３】
ここでセグメント又は連結されたデータパケットをマルチセグメントデータパケットと呼ばれることができ、且つマルチセグメントデータパケットに番号を付けることができ、例えばそれぞれセグメント１、セグメント２、…、セグメントｎである。注意すべきものとして、マルチセグメントデータパケットにおける異なるセグメントのサイズは同じであってもよく、異なってもよい。
【００８４】
Ｓ２０２において、前記送信装置２１は複数の無線アクセス技術に対して、前記マルチセグメントデータパケットをカプセル化して番号を付ける。
【００８５】
各サービスはそれぞれのサービスバッファー（ｓｅｒｖｉｃｅ  ｂｕｆｆｅｒ）を有する。Ｓ２０２では、サービスバッファーに、異なる無線アクセス技術に対してカプセル化することができる。
【００８６】
例えば、「セグメント１.無線アクセス技術ａ」はセグメント１が無線アクセス技術ａを使用して伝送されることを表す。例えば「セグメント（２−１０）.無線アクセス技術ｂ」はセグメント２〜セグメント１０が無線アクセス技術ｂを使用して伝送されることを表す。
【００８７】
即ち、各データパケットは前記マルチセグメントデータパケットのうちの少なくとも一つのセグメント（ｓｅｇｍｅｎｔ）データパケットを含む。
【００８８】
注意すべきものとして、異なる無線アクセス技術はダイバーシティ（ｄｉｖｅｒｓｉｔｙ）モードを採用することができ、ダイバーシティモードは異なる無線アクセス技術で同じ内容を伝送することを意味し、即ち異なる無線アクセス技術のパケット内容は同じであってもよく、例えば「セグメント１.無線アクセス技術ａ」と「セグメント１.無線アクセス技術ｂ」はセグメント１が無線アクセス技術ａと無線アクセス技術ｂによりダイバーシティモードで伝送されることを表す。これにより、データ伝送の信頼性を保証することができる。
【００８９】
又は、異なる無線アクセス技術は集約（ａｇｇｒｅｇａｔｉｏｎ）モードを採用することができ、集約モードは異なる無線アクセス技術で異なる内容を伝送することを意味し、即ち無線アクセス技術のパケット内容が異なってもよく、例えば「セグメント１.無線アクセス技術ａ」と「セグメント（２−１０）.無線アクセス技術ｂ」はセグメント１、セグメント（２−１０）が無線アクセス技術ａと無線アクセス技術ｂにより集約モードでそれぞれ伝送されることを表す。これにより、伝送の性能を向上させることができる。
【００９０】
又は、異なる無線アクセス技術は混合モードであってもよい。その中、混合モードはダイバーシティモードと集約モードを含む。例えば、セグメント１は無線アクセス技術ａと無線アクセス技術ｂにより、即ち「セグメント１.無線アクセス技術ａ」と「セグメント１．無線アクセス技術ｂ」というダイバーシティモードで伝送される。セグメント２とセグメント３は無線アクセス技術ａと無線アクセス技術ｃにより、即ち「セグメント２.無線アクセス技術ａ」と「セグメント３.無線アクセス技術ｃ」という集約モードで伝送される。これにより、データ伝送の信頼性を保証する前提で伝送の性能を向上させることができる。
【００９１】
本発明の実施例において、伝送速度が速く、信頼性が高い無線アクセス技術に対して、大きなセグメントサイズとデータパケットサイズ（多くのセグメント）を使用することができる。例えば、無線アクセス技術ｂの伝送速度が速く、信頼性が高い場合、セグメント２〜セグメント１０、即ち「セグメント（２−１０）.無線アクセス技術ｂ」を使用することができる。これにより、伝送オーバーヘッドを低減し、伝送効率を向上させることができる。
【００９２】
さらに、送信装置２１はカプセル化されたデータパケットに番号を付ける。例えば、「セグメント１.無線アクセス技術ａ.パケット３１」はパケットの番号が３１であることを表す。
【００９３】
理解できるように、異なる無線アクセス技術のパケットサイズは技術種類によって異なってもよく、同じ無線アクセス技術のパケットサイズは端末とネットワーク条件によって異なってもよい。
【００９４】
理解できるように、カプセル化されたデータパケットは送信装置２１のサービスバッファーに記憶されてもよい。
【００９５】
Ｓ２０３において、前記送信装置２１は前記番号に基づき、対応する無線アクセス技術を使用し、前記カプセル化されたデータパケットを受信装置２２に送信する。
【００９６】
具体的には、送信装置２１は番号の順番に基づき、複数の無線アクセス技術の無線リソースで、前記カプセル化されたデータパケットを前記受信装置２２に送信することができる。その中、複数の無線アクセス技術の無線リソースは図１におけるＳ１０３で割り当てられた。
【００９７】
例えば、「セグメント１.無線アクセス技術ａ.パケット３１」と「セグメント１１.無線アクセス技術ａ.パケット３２」に対して、送信装置２１は無線アクセス技術ａの無線リソースにおいて、まずセグメント１のデータパケットを受信装置２２に送信し、次にセグメント１１のデータパケットを受信装置２２に送信する。
【００９８】
理解できるように、集約モードを採用する場合、異なる無線アクセス技術は異なるセグメントのデータパケットを伝送する。例えば、無線アクセス技術ａはセグメント１を伝送し、無線アクセス技術ｂはセグメント２〜セグメント１０を伝送する。
【００９９】
理解できるように、ダイバーシティモードを採用する場合、異なる無線アクセス技術は同じセグメントのデータパケットを伝送する。例えば、無線アクセス技術ａと無線アクセス技術ｂはセグメント１を伝送する。
【０１００】
理解できるように、混合モードを採用する場合、集約モードに加えてダイバーシティモードを含み、その中の一部のセグメントのデータパケットは同時に少なくとも二つの無線アクセス技術により伝送される。
【０１０１】
また、一つの実施例として、伝送中、送信装置２１は複数の無線アクセス技術間にデータ動的ペイロード割当を行うことができる。
【０１０２】
例えば、送信装置２１はある無線アクセス技術の予め設定された時間帯内における送信チェックの失敗回数を統計することができる。予め設定された時間帯内で、前記複数の無線アクセス技術のうちの第一の無線アクセス技術の送信チェックの失敗回数が予め設定された第一の閾値より大きい場合、前記第一の無線アクセス技術を使用して伝送される前記第一サービスの割合を下げることができ、又は、前記第一の無線アクセス技術を使用して後のデータパケットを伝送することを停止することができる。
【０１０３】
例えば、送信装置２１によって統計された無線アクセス技術ａの予め設定された時間帯における送信チェックの失敗回数がある予め設定された閾値（第一の閾値）を超えている場合、後の送信データの割合を５０％から３０％に減少させるとともに、これに対応して他の無線アクセス技術（無線アクセス技術ｂ及び／又は無線アクセス技術ｃ）の送信データの割合を増やすことができる。
【０１０４】
他方では、理解できるように、予め設定された時間帯内で、第一の無線アクセス技術の送信チェックの失敗回数が予め設定された別の閾値より小さい場合、前記第一の無線アクセス技術を使用して伝送されるデータの割合を増やすことができる。
【０１０５】
例えば、前記複数の無線アクセス技術のうちの第二の無線アクセス技術が前記送信装置の位置にサービスを提供しない場合、前記第二の無線アクセス技術を使用して後のデータパケットを伝送することを停止する。その中、サービスを提供しないことは、送信装置２１によって受信された第二の無線アクセス技術の信号強度が予め設定された強度閾値より低いことを含むことができ、これは端末の変位により第二の無線アクセス技術が端末をカバーできないに起因する可能性がある。
【０１０６】
例えば、データ伝送中、ある無線アクセス技術はカバーなどの原因で該無線アクセス技術の接続が中断される場合、この無線アクセス技術を使用して後の伝送を行うことを本来に計画する後のデータパケットに対して、送信装置２１は他の無線アクセス技術を選択して使用して後の伝送を使用することができる。
【０１０７】
例えば、前記複数の無線アクセス技術のうちの第三の無線アクセス技術のペイロードが予め設定された第二の閾値を超えている場合、前記第三の無線アクセス技術を使用して伝送される前記第一サービスの割合を下げ、又は、前記第三の無線アクセス技術を使用して後のデータパケットを伝送することを停止する。
【０１０８】
この時、該第三の無線アクセス技術を使用し続けてデータ伝送を行う場合、輻輳を引き起こす可能性があり、それによって伝送効率が低下する。ここで第三の無線アクセス技術を使用して伝送する割合を下げ、又は、第三の無線アクセス技術を使用して後のデータを伝送することを停止し、これに対応して他の無線アクセス技術の伝送割合を増やし、これによりデータの伝送効率を保証することができる。
【０１０９】
注意すべきものとして、アプリケーションが複数のサービスをサポートするため、アプリケーションが持続する期間に、送信装置２１はアプリケーションにおける各サービスの無線アクセス技術の無線リソースに対する使用状況を追跡し、各無線アクセス技術の変化状況（例えば、カバー、ネットワークペイロードなど）と組み合わせ、無線リソースの割り当て状況に対して対応する調整を行うことができる。具体的には、無線リソースの割り当てについて前記図１の実施例におけるＳ１０２を参照できるため、ここで説明を省略する。
【０１１０】
即ち、Ｓ２０３のデータ伝送プロセスにおいて、Ｓ１０２の複数の無線アクセス技術の無線リソースの割り当ての調整プロセスを実行することができる。且つ、ネットワーク条件の変化によりＴｏＳが利用不可能又は再利用可能となる場合、アプリケーションへプロンプトメッセージを送信することができ、さらにアプリケーションはプロンプトメッセージをユーザに表示することができる。
【０１１１】
Ｓ２０４において、受信装置２２は前記カプセル化されたデータパケットを受信した後、受信されたデータパケットを回復する。
【０１１２】
具体的には、受信装置２２は各無線アクセス技術により伝送される、カプセル化されたデータパケットを受信した後、一定の順番でカプセル化を解除する。理解できるように、ここでのカプセル化の解除は送信装置２２によるカプセル化の逆順番で行う。
【０１１３】
例えば、受信されたデータパケットが送信装置２１によって連結されてカプセル化される場合、受信装置２２は受信された該データパケットをセグメント化し、回復されたデータパケットを得ることができる。受信されたデータパケットが送信装置２１によってセグメント化されてカプセル化される場合、受信装置２２は該受信されたデータパケットを連結し、回復されたデータパケットを得ることができる。
【０１１４】
受信装置２２は複数のパケットのペイロード（ｐａｙｌｏａｄ）部分を連結してアプリケーション層のデータパケットに回復することができる。例えば、送信装置２１は送信する前に「パケット１」をセグメント化し、「セグメント１」と「セグメント２」に分ける。受信装置２２は「セグメント１.無線アクセス技術ａ.パケット４１」と「セグメント２.無線アクセス技術ｂ.パケット４２」を受信した後、この二つのパケットのｐａｙｌｏａｄ部分を連結し、それによってアプリケーション層のデータパケット「パケット１」に回復する。
【０１１５】
受信装置２２は一つのパケットのｐａｙｌｏａｄ部分を複数のアプリケーション層のデータパケットに分割することができる。例えば、送信装置２１は送信する前に「パケット２」と「パケット３」を連結して「セグメント３」を形成する。受信装置２２は「セグメント３.無線アクセス技術ａ.データパケット４３」を受信した後、該データパケットのｐａｙｌｏａｄ部分をセグメント化し、それによってアプリケーション層のデータパケット「パケット２」と「パケット３」に回復する。
【０１１６】
Ｓ２０５において、受信装置２２は回復されたデータパケットの正確度をチェックする。
【０１１７】
具体的には、受信装置２２は回復されたアプリケーション層のデータパケットの正確度をチェックする。
【０１１８】
Ｓ２０６において、受信装置２２は送信装置２１へ再送信リクエストメッセージ及び／又は通知メッセージを送信する。
【０１１９】
Ｓ２０７において、送信装置２１は再送信リクエストメッセージを受信した後、対応するカプセル化されたデータパケットを再送信する。
【０１２０】
例えば、Ｓ２０４で受信装置２２が回復したデータパケットは第四のデータパケットを含み、且つ該第四のデータパケットは前記複数の無線アクセス技術のうちのＭつの無線アクセス技術によりダイバーシティモードで伝送され、その中、Ｍが１より大きい正整数である。そのため、Ｓ２０５で前記Ｍつの無線アクセス技術を使用して伝送された第四のデータパケットに対するチェックが失敗した場合、受信装置２２はＳ２０６で送信装置２１へ再送信リクエストメッセージを送信することができ、さらに受信装置２２はＳ２０７で送信装置２１から再送信された前記第四のデータパケットを受信することができる。
【０１２１】
ここで、Ｓ２０７では、送信装置２１は前記Ｍつの無線アクセスを使用し続け、ダイバーシティモードで前記第四のデータパケットを再送信することができる。又は、Ｓ２０７では、送信装置２１は複数の無線アクセス技術のうちのいずれかの無線アクセス技術を使用して該第四のデータパケットを再送信することができる。即ち同じデータパケットに対して、再送信する時に使用される無線アクセス技術はこの前に使用された無線アクセス技術と同じであってもよく又は異なってもよい。
【０１２２】
例えば、Ｓ２０４で受信装置２２によって回復されたデータパケットが第四のデータパケットを含み、且つ該第四のデータパケットが前記複数の無線アクセス技術のうちのＭつの無線アクセス技術によりダイバーシティモードで伝送される。したがって、Ｓ２０４で前記Ｍつの無線アクセス技術のうちの第一の無線アクセス技術を使用して伝送された前記第四のデータパケットを受信することが成功し、且つ前記Ｍつの無線アクセス技術のうちの第二の無線アクセス技術を使用して伝送された第四のデータパケットを受信しない場合、受信装置２２はＳ２０６で前記送信装置２１へ通知メッセージを送信し、前記第二の無線アクセス技術を使用して前記第四のデータパケットを送信することを停止するように送信装置２１に指示する。注意するべきものとして、他のデータパケット（例えばデータパケットＰ１）が該第二の無線アクセス技術を使用して伝送される場合、送信装置２１は該第二の無線アクセス技術を使用し続けて伝送する必要がある。
【０１２３】
例えば、全ての他の無線アクセス技術（Ｍつの無線アクセス技術のうちの第一の無線アクセス技術以外の無線アクセス技術）を使用して伝送された前記第四のデータパケットが受信されない場合、受信装置２２から送信装置２１へ送信された通知メッセージは他の無線アクセス技術を使用して該第四のデータパケットを送信することを停止するように送信装置２１に指示することができる。これにより、不要なリソース占有をタイムリーに解放し、リソースの利用率を高めることができ、さらに伝送効率を向上させることができる。
【０１２４】
例えば、Ｓ２０４で受信装置２２によって回復されたデータパケットが前記複数の無線アクセス技術によりダイバーシティモードで伝送され、前記データパケットが第五のデータパケットを含む。したがって、Ｓ２０５で前記複数の無線アクセス技術のうちの第三の無線アクセス技術を使用して伝送された前記第五のデータパケットに対するチェックが失敗する場合、受信装置２２はＳ２０６で送信装置２１へ再送信リクエストメッセージを送信することができ、さらにＳ２０７で受信装置２２は送信装置２１から再送信された第五のデータパケットを受信することができる。
【０１２５】
ここで、Ｓ２０７では、送信装置２１は第三の無線アクセス技術又は他のいずれかの無線アクセス技術を使用して該第五のデータパケットを再送信することができる。
【０１２６】
理解できるように、本発明の実施例において、Ｓ２０６とＳ２０７は必ずし実行されない。
【０１２７】
Ｓ２０８において、受信されたデータパケットに対するチェックが成功した後、受信装置２２は送信装置２１へ確認メッセージを送信する。
【０１２８】
ここで、確認メッセージはＳ２０３におけるデータ伝送が成功することを示すことに用いられる。
【０１２９】
Ｓ２０９において、送信装置２１は確認メッセージを受信した後、前記サービスバッファーにおけるカプセル化されたデータパケットを削除する。
【０１３０】
また、本発明の実施例において、送信装置２１又は受信装置２２がネットワーク装置である場合、ネットワーク装置は後の課金などの目的を達成するように、データ伝送中、各無線アクセス技術に対応する、該無線アクセス技術を使用して伝送することが成功したデータパケット情報（アプリケーション層と無線層を含む）を収集することができる。
【０１３１】
本発明の実施例において、送信装置は異なる無線アクセス技術に対して、伝送されるサービスをカプセル化して送信することにより、使用された複数の無線アクセス技術間の相互連携を高めることができ、さらに複数の無線アクセス技術の性能を向上させることができる。
【０１３２】
図３は本発明の別の実施例におけるデータ伝送方法である。図３に示す方法は送信装置によって実行され、以下のステップを含む。
【０１３３】
Ｓ３０１において、送信装置は使用される複数の無線アクセス技術を確定した後、伝送される第一サービスのデータパケットをセグメント化又は連結し、マルチセグメントデータパケットを生成する。
【０１３４】
Ｓ３０２において、前記送信装置は前記複数の無線アクセス技術に対して、前記マルチセグメントデータパケットをカプセル化して番号を付ける。
【０１３５】
Ｓ３０３において、前記送信装置は前記番号に基づき、対応する無線アクセス技術を使用し、前記カプセル化されたデータパケットを受信装置に送信する。
【０１３６】
本発明の実施例において、送信装置は異なる無線アクセス技術に対して、伝送されるサービスをカプセル化して送信することにより、使用された複数の無線アクセス技術間の相互連携を高めることができ、さらに複数の無線アクセス技術の性能を向上させることができる。
【０１３７】
また、Ｓ３０１の前に、前記第一サービスがあるアプリケーションから前記アプリケーションがサポートするサービスタイプ（ＴｏＳ）リストを取得することと、前記ＴｏＳリストに基づき、前記アプリケーションに前記複数の無線アクセス技術を割り当てることとをさらに含むことができる。具体的には、前記図１の実施例におけるＳ１０１〜Ｓ１０２を参照できる。
【０１３８】
ここで、前記アプリケーションが複数のサービスをサポートし、前記複数のサービスが前記第一サービスを含む。前記ＴｏＳリストは前記複数のサービスのＴｏＳを含み、前記ＴｏＳはデータ伝送の優先度、ピークレートと平均レート、アプリケーション層のデータパケットサイズ、伝送遅延と遅延ジッタ、データパケット損失率とデータ伝送の時間的分布のうちの少なくとも一つの情報を含む。
【０１３９】
ここで、前記アプリケーション層のデータパケットサイズは前記アプリケーション層のデータパケットの平均サイズと前記アプリケーション層のデータパケットのサイズの標準偏差を含む。その中、前記データ伝送の時間的分布は周期的分布と非周期的分布を含む。
【０１４０】
ここで、前記データ伝送の時間的分布は前記分布タイプと前記分布の基本パラメータを含む。又は、前記データ伝送の時間的分布は伝送周期とデューティ比を含む。又は、前記データ伝送の時間的分布は伝送の平均時間間隔と伝送の時間間隔の標準偏差を含む。
【０１４１】
ここで、前記ＴｏＳはサービスタイプクラス識別子（ＴＣＩ）で表される。
【０１４２】
ここで、前記ＴｏＳリストにおける一部のＴＣＩはアクティブ化され、他のＴＣＩは非アクティブ化される。
【０１４３】
また、前記アプリケーションに前記複数の無線アクセス技術を割り当てることは、ユーザサービス加入状況と前記ユーザの存在する位置の無線アクセス技術の分布状況に応じて、前記アプリケーションに前記複数の無線アクセス技術を割り当てることを含むことができる。
【０１４４】
また、前記アプリケーションに前記複数の無線アクセス技術を割り当てることは、前記第一サービスに前記複数の無線アクセス技術を割り当て、前記第一サービスを前記複数の無線アクセス技術の無線リソースにマッピングすることを含むことができる。即ち、前記第一サービスを前記複数の無線アクセス技術の無線リソースにマッピングする。
【０１４５】
ここで、前記第一サービスのＴｏＳは前記複数の無線アクセス技術がサポートする少なくとも一つのＴｏＳのうちの一つのＴｏＳと合致することができる。
【０１４６】
ここで、前記送信装置の現在の存在するネットワーク条件が前記第一サービスのＴｏＳを満たすことができない場合、割り当てられた前記複数の無線アクセス技術がサポートするＴｏＳは前記第一サービスのＴｏＳに最も近接する。
【０１４７】
ここで、前記送信装置の現在の存在するネットワーク条件が前記第一サービスのＴｏＳを満たすことができない場合、前記第一サービスの申請を拒否してユーザに通知することができる。
【０１４８】
ここで、前記第一サービスのＴｏＳが前記第一サービスの実際リソースの使用と一致しない場合、前記第一サービスの実際リソースの使用に応じて、前記第一サービスに前記複数の無線アクセス技術を割り当てることができる。さらに、前記アプリケーションのアプリケーション管理システムへ通知メッセージを送信することができ、前記通知メッセージが前記アプリケーションに対して後続処理を実行するように前記アプリケーション管理システムに指示することに用いられる。前記後続処理は前記アプリケーションをブラックリストに追加することを含むことができる。さらに、後で前記アプリケーションから送信された新しいＴｏＳリストを再受信した場合、前記新しいＴｏＳリストを無視し、前記アプリケーションへの複数の無線アクセス技術の割り当てを能動的に決定することができる。
【０１４９】
これに対応して、Ｓ３０３は前記複数の無線アクセス技術の無線リソースで、前記カプセル化されたデータパケットを前記受信装置２２に送信することを含む。
【０１５０】
また、一つの実施例として、Ｓ３０１の前に、前記複数の無線アクセス技術間にデータ静的ペイロード割当を行うことをさらに含むことができる。
【０１５１】
具体的には、前記複数の無線アクセス技術間にデータ静的ペイロード割当を行うことは、前記複数の無線アクセス技術の各々のために、伝送される前記第一サービスの割合を確定することを含むことができる。
【０１５２】
また、別の実施例として、前記複数の無線アクセス技術は第一の無線アクセス技術と第二の無線アクセス技術を含み、前記伝送される第一サービスのデータパケットは第一のデータパケット、第二のデータパケットと第三のデータパケットを含む。したがって、Ｓ３０１は前記第一のデータパケットのサイズが前記第一の無線アクセス技術のパケットより大きい場合、前記第一のデータパケットをセグメント化し、前記第二のデータパケットと前記第三のデータパケットのサイズが前記第二の無線アクセス技術のパケットより小さい場合、前記第二のデータパケットと前記第三のデータパケットを連結することを含むことができる。
【０１５３】
本発明の実施例において、Ｓ３０３のデータ伝送プロセスにおいて、前記複数の無線アクセス技術間にデータ動的ペイロード割当を行うことができる。
【０１５４】
また、前記複数の無線アクセス技術間にデータ動的ペイロード割当を行うことは予め設定された時間帯内に前記複数の無線アクセス技術のうちの第一の無線アクセス技術の送信チェックの失敗回数が予め設定された第一の閾値より小さい場合、前記第一の無線アクセス技術を使用して伝送される前記第一サービスの割合を下げ、又は前記第一の無線アクセス技術を使用して後のデータパケットを伝送することを停止することを含むことができる。これに対応して、他の無線アクセス技術を使用して伝送する割合を増やすことができる。
【０１５５】
また、前記複数の無線アクセス技術間にデータ動的ペイロード割当を行うことは、
前記複数の無線アクセス技術のうちの第二の無線アクセス技術が前記送信装置の存在する位置にサービスを提供しない場合、前記第二の無線アクセス技術を使用して後のデータパケットを伝送することを停止することを含むことができる。これに対応して、他の無線アクセス技術を使用して伝送する割合を増やすことができる。
【０１５６】
また、複数の無線アクセス技術間にデータ動的ペイロード割当を行うことは、前記複数の無線アクセス技術のうちの第三の無線アクセス技術のペイロードが予め設定された第二の閾値を超えている場合、前記第三の無線アクセス技術を使用して伝送される前記第一サービスの割合を下げ、又は、前記第三の無線アクセス技術を使用して後のデータパケットを伝送することを停止することを含むことができる。これに対応して、他の無線アクセス技術を使用して伝送する割合を増やすことができる。
【０１５７】
また、前記複数の無線アクセス技術間にデータ動的ペイロード割当を行うことは、予め設定された時間帯内に前記複数の無線アクセス技術のうちの第四の無線アクセス技術の送信チェックの失敗回数が予め設定された第三の閾値より小さい場合、前記第四の無線アクセス技術を使用して伝送される前記第一サービスの割合を増やすことを含むことができる。
【０１５８】
図３におけるＳ３０１の説明は前記図２の実施例におけるＳ２０１の説明を参照でき、図３におけるＳ３０２の説明は前記図２の実施例におけるＳ２０２の説明を参照でき、図３におけるＳ３０３の説明は前記図２の実施例におけるＳ２０３の説明を参照でき、重複を回避するために、ここで説明を省略する。
【０１５９】
また、別の実施例として、Ｓ３０３の後に、前記受信装置から送信された再送信リクエストメッセージを受信することと、前記再送信リクエストメッセージに基づいて対応するカプセル化されたデータパケットを再送信することをさらに含むことができる。
【０１６０】
ここで、前記対応するカプセル化されたデータパケットを再送信する時に使用される無線アクセス技術はこの前に前記カプセル化されたデータパケットを送信する時に使用された無線アクセス技術と同じ又は異なる。
【０１６１】
また、別の実施例として、Ｓ３０２におけるカプセル化されたデータパケットは前記送信装置のサービスバッファーに記憶される。Ｓ３０３の後に、前記受信装置から送信された確認メッセージを受信し、前記確認メッセージが前記カプセル化されたデータパケットの伝送が成功したことを示すことと、前記サービスバッファーにおける前記カプセル化されたデータパケットを削除することとをさらに含むことができる。
【０１６２】
本発明の実施例において、アプリケーションから送信されたサービスタイプリストに基づいてアプリケーションに対応する複数の無線アクセス技術及び無線リソースを割り当てることができ、これにより複数の無線アクセス技術間の連携を高めることができ、さらに後のデータ伝送中のデータスケジューリングに役立つことができる。
【０１６３】
図４は本発明の別の実施例におけるデータ伝送方法のフローチャートである。図４に示す方法は受信装置によって実行され、以下のステップを含む。
【０１６４】
Ｓ４０１において、受信装置は送信装置から送信されたデータパケットを受信し、前記データパケットは前記送信装置が複数の無線アクセス技術を使用して送信したものである。
【０１６５】
Ｓ４０２において、前記受信装置は前記受信されたデータパケットを回復する。
【０１６６】
Ｓ４０３において、前記受信装置は前記回復されたデータパケットの正確度をチェックする。
【０１６７】
本発明の実施例において、受信装置が複数の無線アクセス技術を使用して送信されたデータパケットの正確度をチェックすることにより、データパケット伝送の成功率を向上させることができる。
【０１６８】
具体的には、Ｓ４０２は前記送信装置によって連結されたデータパケットをセグメント化し、前記回復されたデータパケットを得ることと、及び／又は、前記送信装置によってセグメント化されたデータパケットを連結し、前記回復されたデータパケットを得ることとを含むことができる。具体的には、前記図２の実施例におけるＳ２０４の説明を参照できる。
【０１６９】
また、一つの実施例として、前記回復されたデータパケットは第一のデータパケットを含み、前記第一のデータパケットが前記複数の無線アクセス技術のうちのＭつの無線アクセス技術によりダイバーシティモードで伝送される。前記Ｍつの無線アクセス技術を使用して伝送された前記第一のデータパケットに対するチェックが失敗した場合、前記送信装置へ再送信リクエストメッセージを送信し、前記送信装置から再送信された前記第一のデータパケットを受信する。
【０１７０】
また、別の実施例として、前記回復されたデータパケットは第一のデータパケットを含み、前記第一のデータパケットが前記複数の無線アクセス技術のうちのＭつの無線アクセス技術によりダイバーシティモードで伝送される。前記Ｍつの無線アクセス技術のうちの第一の無線アクセス技術を使用して伝送された前記第一のデータパケットの受信が成功し、且つ前記Ｍつの無線アクセス技術のうちの第二の無線アクセス技術を使用して伝送された前記第一のデータパケットを受信しない場合、前記送信装置へ通知メッセージを送信し、前記第二の無線アクセス技術を使用して前記第一のデータパケットを送信することを停止するように前記送信装置に指示する。
【０１７１】
また、別の実施例として、前記データパケットは前記複数の無線アクセス技術によりダイバーシティモードで伝送され、前記回復されたデータパケットは第二のデータパケットを含む。前記複数の無線アクセス技術のうちの第三の無線アクセス技術を使用して伝送された前記第二のデータパケットに対するチェックが失敗した場合、前記送信装置へ再送信リクエストメッセージを送信し、前記送信装置から再送信された前記第二のデータパケットを受信する。
【０１７２】
また、別の実施例として、前記受信されたデータパケットに対するチェックが成功した場合、前記送信装置へ確認メッセージを送信する。
【０１７３】
図４におけるＳ４０１の説明は前記図２の実施例におけるＳ２０３の説明を参照でき、図４におけるＳ４０２の説明は前記図２の実施例におけるＳ２０４を参照でき、図４におけるＳ４０３の説明は前記図２の実施例におけるＳ２０５の説明を参照でき、繰り返しを回避するために、ここで説明を省略する。
【０１７４】
図５は本発明の一つの実施例における送信装置の構成ブロック図である。図５に示す送信装置５００は生成ユニット５０１、処理ユニット５０２と送信ユニット５０３を含む。
【０１７５】
生成ユニット５０１は使用される複数の無線アクセス技術を確定した後、伝送される第一サービスのデータパケットをセグメント化又は連結し、マルチセグメントデータパケットを生成するように構成される。
【０１７６】
処理ユニット５０２は前記複数の無線アクセス技術に対して、生成ユニット５０１によって生成された前記マルチセグメントデータパケットをカプセル化して番号を付けるように構成される。
【０１７７】
送信ユニット５０３は前記番号に基づき、対応する無線アクセス技術を使用し、前記カプセル化されたデータパケットを受信装置に送信するように構成される。
【０１７８】
本発明の実施例において、送信装置は異なる無線アクセス技術に対して、伝送されるサービスをカプセル化して送信することにより、使用された複数の無線アクセス技術間の相互連携を高めることができ、さらに複数の無線アクセス技術の性能を向上させることができる。
【０１７９】
本発明の実施例において、該送信装置５００は受信ユニットをさらに含むことができる。
【０１８０】
また、一つの実施例として、受信ユニットはアプリケーションから前記アプリケーションがサポートするサービスタイプＴｏＳリストを取得するように構成されることができる。処理ユニット５０２はさらに前記ＴｏＳリストに基づき、前記アプリケーションに前記複数の無線アクセス技術を割り当てるように構成されてもよい。
【０１８１】
具体的には、前記アプリケーションが複数のサービスをサポートし、前記複数のサービスが前記第一サービスを含む。前記ＴｏＳリストは前記複数のサービスのＴｏＳを含み、前記ＴｏＳがデータ伝送の優先度、ピークレートと平均レート、アプリケーション層のデータパケットサイズ、伝送遅延と遅延ジッタ、データパケット損失率とデータ伝送の時間的分布のうちの少なくとも一つの情報を含む。
【０１８２】
ここで、前記アプリケーション層のデータパケットサイズは前記アプリケーション層のデータパケットの平均サイズと前記アプリケーション層のデータパケットのサイズの標準偏差を含む。その中、前記データ伝送の時間的分布は周期的分布と非周期的分布を含む。
【０１８３】
ここで、前記データ伝送の時間的分布は前記分布のタイプと前記分布の基本パラメータを含む。又は、前記データ伝送の時間的分布は伝送周期とデューティ比を含む。又は、前記データ伝送の時間的分布は伝送の平均時間間隔と伝送の時間間隔の標準偏差を含む。
【０１８４】
ここで、前記ＴｏＳはサービスタイプクラス識別子（ＴＣＩ）で表される。
【０１８５】
ここで、前記ＴｏＳリストにおける一部のＴＣＩはアクティブ化され、他のＴＣＩは非アクティブ化される。
【０１８６】
また、処理ユニット５０２は具体的にユーザサービス加入状況と前記ユーザの存在する位置の無線アクセス技術の分布状況に応じて、前記アプリケーションに前記複数の無線アクセス技術を割り当てるように構成される。さらに、処理ユニット５０２は具体的に前記第一サービスに前記複数の無線アクセス技術を割り当て、前記第一サービスを前記複数の無線アクセス技術の無線リソースにマッピングするように構成される。これに対応して、送信ユニット５０３は具体的に前記複数の無線アクセス技術の無線リソースで、前記カプセル化されたデータパケットを前記受信装置に送信するように構成される。
【０１８７】
ここで、前記第一サービスのＴｏＳは前記複数の無線アクセス技術がサポートする少なくとも一つのＴｏＳのうちの一つのＴｏＳと合致する。
【０１８８】
又は、その中、前記送信装置の現在の存在するネットワーク条件が前記第一サービスのＴｏＳを満たすことができない場合、割り当てられた前記複数の無線アクセス技術がサポートするＴｏＳは前記第一サービスのＴｏＳに最も近接する。例えば、処理ユニット５０２はクラスを下げて前記第一サービスに無線リソースを割り当てることができる。
【０１８９】
又は、その中、処理ユニットはさらに前記送信装置の現在の存在するネットワーク条件が前記第一サービスのＴｏＳを満たすことができない場合、前記第一サービスの申請を拒否してユーザに通知するように構成される。
【０１９０】
また、別の一つの実施例として、前記第一サービスのＴｏＳと前記第一サービスの実際リソースの使用と一致しない場合、処理ユニット５０２はさらに前記第一サービスの実際リソースの使用に応じて、前記第一サービスに前記複数の無線アクセス技術を割り当てるように構成されてもよい。さらに、送信ユニット５０３は前記アプリケーションのアプリケーション管理システムへ通知メッセージを送信することができ、前記通知メッセージが前記アプリケーションに対して後続処理を実行するように前記アプリケーション管理システムに指示することに用いられる。その中、後続処理は前記アプリケーションをブラックリストに追加することを含むことができる。さらに、後で前記アプリケーションから送信された新しいＴｏＳリストを再受信した場合、前記新しいＴｏＳリストを無視し、前記アプリケーションへの複数の無線アクセス技術の割り当てを能動的に決定することができる。
【０１９１】
また、別の実施例として、処理ユニット５０２はさらに前記複数の無線アクセス技術間にデータ静的ペイロード割当を行うように構成されてもよい。具体的には、処理ユニット５０２は具体的に前記複数の無線アクセス技術の各々のために、伝送される前記第一サービスの割合を確定するように構成される。
【０１９２】
また、別の実施例として、前記複数の無線アクセス技術が第一の無線アクセス技術と第二の無線アクセス技術を含み、前記伝送される第一サービスのデータパケットが第一のデータパケット、第二のデータパケットと第三のデータパケットを含むと仮定する。生成ユニット５０１は具体的に前記第一のデータパケットのサイズが前記第一の無線アクセス技術のパケットより大きい場合、前記第一のデータパケットをセグメント化し、前記第二のデータパケットと前記第三のデータパケットのサイズが前記第二の無線アクセス技術のパケットより小さい場合、前記第二のデータパケットと前記第三のデータパケットを連結するように構成される。
【０１９３】
また、別の実施例として、受信ユニットは前記受信装置から送信された再送信リクエストメッセージを受信するように構成されてもよい。送信ユニット５０３はさらに前記再送信リクエストメッセージに基づいて対応するカプセル化されたデータパケットを再送信するように構成されてもよい。
【０１９４】
ここで、前記対応するカプセル化されたデータパケットを再送信する時に使用される無線アクセス技術はこの前に前記カプセル化されたデータパケットを送信する時に使用された無線アクセス技術と同じ又は異なる。
【０１９５】
また、別の実施例として、処理ユニット５０２はさらに前記複数の無線アクセス技術間にデータ静的ペイロード割当を行うように構成されてもよい。
【０１９６】
具体的には、処理ユニット５０２は具体的に予め設定された時間帯内に前記複数の無線アクセス技術のうちの第一の無線アクセス技術の送信チェックの失敗回数が予め設定された第一の閾値より大きい場合、前記第一の無線アクセス技術を使用して伝送される前記第一サービスの割合を下げ、又は前記第一の無線アクセス技術を使用して後のデータパケットを伝送することを停止するように構成される。又は、処理ユニット５０２は具体的に前記複数の無線アクセス技術のうちの第二の無線アクセス技術が前記送信装置の存在する位置にサービスを提供しない場合、前記第二の無線アクセス技術を使用して後のデータパケットを伝送することを停止するように構成される。又は、処理ユニット５０２は具体的に前記複数の無線アクセス技術のうちの第三の無線アクセス技術のペイロードが予め設定された第二の閾値を超えている場合、前記第三の無線アクセス技術を使用して伝送される前記第一サービスの割合を下げ、又は、前記第三の無線アクセス技術を使用して後のデータパケットを伝送することを停止するように構成される。これに対応して、他の無線アクセス技術を使用して伝送する割合を増やすことができる。
【０１９７】
本発明の実施例において、前記カプセル化されたデータパケットは前記送信装置のサービスバッファーに記憶されてもよい。これに対応して、受信ユニットはさらに前記受信装置から送信された確認メッセージを受信するように構成されてもよく、前記確認メッセージが前記カプセル化されたデータパケットの伝送が成功したことを示す。処理ユニット５０２はさらに前記サービスバッファーにおける前記カプセル化されたデータパケットを削除するように構成されてもよい。
【０１９８】
注意すべきものとして、本発明の実施例において、送信ユニット５０３は送信機によって実現されてもよく、受信ユニットは受信機によって実現されてもよく、生成ユニット５０１と処理ユニット５０２はプロセッサによって実現されてもよい。図６に示すように、送信装置６００はプロセッサ６０１、受信機６０２、送信機６０３とメモリ６０４を含むことができる。その中、メモリ６０４はプロセッサ６０１で実行されるコードなどを記憶するように構成されてもよい。
【０１９９】
送信装置６００における各部材はバスシステム６０５を介して結合され、バスシステム６０５はデータバスに加えて、電源バス、制御バスと状態信号バスを含む。
【０２００】
本発明の実施例において、送信装置５００と送信装置６００は端末又はネットワーク装置であってもよい。
【０２０１】
図５に示す送信装置５００又は図６に示す送信装置６００は前記図２〜図４の実施例における送信装置によって実現された各プロセスを実現でき、重複を回避するために、ここで説明を省略する。
【０２０２】
図７は本発明の一つの実施例における受信装置の構成のブロック図である。図７に示す受信装置７００は受信ユニット７０１と処理ユニット７０２を含む。
【０２０３】
受信ユニット７０１は送信装置から送信されたデータパケットを受信するように構成され、前記データパケットは前記送信装置が複数の無線アクセス技術を使用して送信したものである。
【０２０４】
処理ユニット７０２は受信ユニット７０１によって受信された前記データパケットを回復し、さらに前記回復されたデータパケットの正確度をチェックするように構成される。
【０２０５】
本発明の実施例において、受信装置が複数の無線アクセス技術を使用して送信されたデータパケットの正確度をチェックすることにより、データパケット伝送の成功率を向上させることができる。
【０２０６】
本発明の実施例において、受信装置７００はさらに送信ユニットをさらに含むことができる。
【０２０７】
また、一つの実施例として、処理ユニットはさらに前記送信装置によって連結されたデータパケットをセグメント化し、前記回復されたデータパケットを得るように構成されてもよく、又は、前記送信装置によってセグメント化されたデータパケットを連結し、前記回復されたデータパケットを得るように構成されてもよい。
【０２０８】
また、別の実施例として、前記回復されたデータパケットは第一のデータパケットを含み、前記第一のデータパケットが前記複数の無線アクセス技術のうちのＭつの無線アクセス技術によりダイバーシティモードで伝送され、
前記処理ユニットの前記Ｍつの無線アクセス技術を使用して伝送された前記第一のデータパケットに対するチェックが失敗した場合、前記送信ユニットは前記送信装置へ再送信リクエストメッセージを送信する。
【０２０９】
前記受信ユニットはさらに前記送信装置から再送信された前記第一のデータパケットを受信するように構成される。
【０２１０】
また、別の実施例として、前記回復されたデータパケットは第一のデータパケットを含み、前記第一のデータパケットが前記複数の無線アクセス技術のうちのＭつの無線アクセス技術によりダイバーシティモードで伝送される。前記受信ユニットが前記Ｍつの無線アクセス技術のうちの第一の無線アクセス技術を使用して伝送された前記第一のデータパケットを受信することが成功し、且つ前記Ｍつの無線アクセス技術のうちの第二の無線アクセス技術を使用して伝送された前記第一のデータパケットを受信しない場合、前記送信ユニットは前記送信装置へ通知メッセージを送信し、前記第二の無線アクセス技術を使用して前記第一のデータパケットを送信することを停止するように前記送信装置に指示する。
【０２１１】
また、別の実施例として、前記データパケットは前記複数の無線アクセス技術によりダイバーシティモードで伝送され、前記回復されたデータパケットは第二のデータパケットを含む。前記処理ユニットの前記複数の無線アクセス技術のうちの第三の無線アクセス技術を使用して伝送された前記第二のデータパケットに対するチェックが失敗した場合、前記送信ユニットは前記送信装置へ再送信リクエストメッセージを送信し、受信ユニット７０１はさらに前記送信装置から再送信された前記第二のデータパケットを受信するように構成される。
【０２１２】
また、別の実施例として、処理ユニット７０２の前記回復されたデータパケットに対するチェックが成功した場合、前記送信ユニットは前記送信装置へ確認メッセージを送信するように構成される。
【０２１３】
注意すべきものとして、本発明の実施例において、受信ユニット７０１は受信機によって実現されてよく、送信ユニットは送信機によって実現されてもよく、処理ユニット７０２はプロセッサによって実現されてもよい。図８に示すように、受信装置８００はプロセッサ８０１、受信機８０２、送信機８０３とメモリ８０４を含むことができる。その中、メモリ８０４はメモリ８０１で実行されたコードなどを記憶するように構成されてもよい。
【０２１４】
受信装置８００における各部材はバスシステム８０５を介して結合され、バスシステム８０５はデータバスに加えて、電源バス、制御バスと状態信号バスを含む。
【０２１５】
本発明の実施例において、受信装置７００と受信装置８００は端末又はネットワーク装置であってもよい。
【０２１６】
図７に示す受信装置７００又は図８に示す受信装置８００は前記図２〜図４の実施例における受信装置によって実現された各プロセスを実現でき、繰り返しを回避するために、ここで説明を省略する。
【０２１７】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０２１８】
当業者は、説明の便宜および簡略化のために、上述したシステム、装置とユニットの具体的な動作プロセスについて上記方法の実施例における対応するプロセスを参照できるたため、ここで説明を省略することを明確に理解することができる。
【０２１９】
本出願が提供するいくつかの実施例において、理解すべきものとして、開示されたシステム、装置と方法は他の方式で実現されてもよい。例えば、上述した装置の実施例は例示的だけであり、例えば前記ユニットの区分は論理機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０２２０】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、即ち一つの箇所に位置してもよく、又は複数のネットワークユニットに分布してもよい。実際のニーズに応じてその中の一部または全てのユニットを選択して本実施例の解決策の目的を達成することができる。
【０２２１】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０２２２】
前記機能はソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２２３】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2020182230.tif 000003
【図２】
2020182230.tif 000004
【図３】
2020182230.tif 000005
【図４】
2020182230.tif 000006
【図５】
2020182230.tif 000007
【図６】
2020182230.tif 000008
【図７】
2020182230.tif 000009
【図８】
2020182230.tif 000010